(57)【特許請求の範囲】
【請求項１】
複数ページから構成されているコンテンツの１ページを示す第１ページのコンテンツ画像を表示画面に表示させて、ユーザーのページめくり操作に対応して、当該第１ページのコンテンツ画像の次ページである第２ページのコンテンツ画像を表示画面に表示させるページめくり処理を行う情報表示装置であって、
上記ページめくり処理の際、上記第１ページのコンテンツ画像の裏面を表す裏面画像を、当該第１ページのコンテンツ画像の一部に重畳するように上記表示画面に表示させる裏面画像表示制御部と、
上記裏面画像表示制御部が表示させる上記裏面画像内に、付加的な情報を表示させる付加情報制御部と、
上記表示画面に表示された付加的な情報と関連する情報が格納された記憶部と、
上記表示画面に表示された上記付加的な情報の表示時間の長さを測定する時間計測部と、を備え、
上記時間計測部が計測した上記付加的な情報の表示時間の長さが、予め定められた一定時間以上である場合、上記付加情報制御部は上記記憶部を参照し、上記第２ページのコンテンツ画像のページめくり処理の際、当該第２ページのコンテンツ画像の一部に重畳して表示される、当該第２ページのコンテンツ画像の裏面を表す裏面画像に、前回表示した上記付加的な情報と関連する情報を、付加的な情報として表示させることを特徴とする情報表示装置。
【請求項２】
上記記憶部には、互いに異なる属性を有し関連性が無い第１及び第２の情報群が記憶されており、
上記第１及び第２の情報群は、それぞれ、第１階層の情報と、当該第１階層の情報の属性を含むことで当該第１階層の情報と関連性がある情報である第２階層の情報とを有することを特徴とする請求項１に記載の情報表示装置。
【請求項３】
上記第１ページのコンテンツ画像のページめくり処理の際、上記付加情報制御部は、上記記憶部に記憶されている上記第１の情報群の第１階層の情報を、上記付加的な情報として上記表示画面に表示させ、
上記時間計測部が計測した上記付加的な情報の表示時間の長さが、予め定められた一定時間以上である場合、上記付加情報制御部は上記記憶部を参照し、上記第２ページのコンテンツ画像のページめくり処理の際、当該第２ページのコンテンツ画像の裏面画像に、上記第１の情報群の第２階層の情報を、上記付加的な情報として表示させることを特徴とする請求項２に記載の情報表示装置。
【請求項４】
上記第１ページのコンテンツ画像のページめくり処理の際、上記付加情報制御部は、上記記憶部に記憶されている上記第１の情報群の第１階層の情報を、上記付加的な情報として上記表示画面に表示させ、
上記時間計測部が計測した上記付加的な情報の表示時間の長さが、予め定められた一定時間未満である場合、上記付加情報制御部は上記記憶部を参照し、上記第２ページのコンテンツ画像のページめくり処理の際、当該第２ページのコンテンツ画像の裏面画像に、上記第２の情報群の第１階層の情報を、上記付加的な情報として表示させることを特徴とする請求項２又は３に記載の情報表示装置。
【請求項５】
上記第２ページのコンテンツ画像のページめくり処理に際して、上記時間計測部が計測した上記付加的な情報の表示時間の長さが、予め定められた一定時間未満である場合、上記付加情報制御部は上記記憶部を参照し、上記第２ページの次ページである第３のページのコンテンツ画像のページめくり処理の際、当該第３ページのコンテンツ画像の一部に重畳して表示される、当該第３ページのコンテンツ画像の裏面を表す裏面画像に、上記第２
の情報群の第１階層の情報を、上記付加的な情報として表示させることを特徴とする請求項３に記載の情報表示装置。
【請求項６】
複数ページから構成されているコンテンツの１ページを示す第１ページのコンテンツ画像を表示画面に表示させて、ユーザーのページめくり操作に対応して、当該第１ページのコンテンツ画像の次ページである第２ページのコンテンツ画像を表示画面に表示させるページめくりステップを有する情報表示方法であって、
上記ページめくりステップの際、上記第１ページのコンテンツ画像の裏面を表す裏面画像を、当該第１ページのコンテンツ画像の一部に重畳するように上記表示画面に表示させるステップと、
上記表示される裏面画像内に、付加的な情報を表示させるステップと、
上記表示画面に表示された上記付加的な情報の表示時間の長さを測定するステップと、
上記測定された上記表示画面に表示された上記付加的な情報の表示時間の長さが、予め定められた一定時間以上である場合、
上記表示画面に表示された付加的な情報と関連する情報が格納された記憶部を参照し、上記第２ページのコンテンツ画像のページめくり処理の際、当該第２ページのコンテンツ画像の一部に重畳して表示される、当該第２ページのコンテンツ画像の裏面を表す裏面画像に、前回表示した上記付加的な情報と関連する情報を、付加的な情報として表示させるステップとを有することを特徴とする情報表示方法。
【請求項７】
コンピュータに、請求項６に記載の各ステップを実行させる情報表示プログラム。
【請求項８】
請求項７に記載の情報表示プログラムを記録したコンピュータ読み取り可能な記録媒体。
【発明の詳細な説明】
【技術分野】
【０００１】
本発明はページめくり操作が可能な情報表示端末、情報表示方法、情報表示プログラム、およびコンピュータ読み取り可能な記録媒体に関する。
【背景技術】
【０００２】
従来より、コンテンツの画像を表示している表示画面に、合せて広告を表示する情報表示装置が知られている。このような情報表示装置では、さらに、ユーザーが希望する広告を表示することで、広告の価値を高めるための方法が開発されている。
【０００３】
特許文献１には、カーナビゲーションにユーザーが目的地を入力すると、その入力された目的地をキーワードとして記憶しておき、インターネット経由で関連する情報を検索し、その検索結果としての広告をカーナビゲーションに表示する広告配信システムが開示されている。
【０００４】
特許文献２には、スクロールされるブラウザの表示範囲のうち、広告などを表示する特定部位が表示された時間が、その特定部位の表示に必要な時間（例えば動画であれば再生に必要な時間）より長いか否かを判定することで、その特定部位に表示された情報を、ユーザーが意図的に見たか否かを推認する表示回数測定プログラムが開示されている。
【０００５】
特許文献３には、撮影することで、観者が表示部の前に立ち止まっているか否かを判定し、観者が立ち止まっていると判定すると、現在、表示部に表示している広告に、観者が興味を持っていると推定し、その現在、表示部に表示している広告を繰り返し表示したり、当該広告と関連する広告を表示したりするなど、表示方法を変更する情報表示装置が開示されている。
【先行技術文献】
【特許文献】
【０００６】
【特許文献１】特開２０１１‐１５０４６２号公報（２０１１年８月４日公開）
【特許文献２】特開２０１１‐４８７６５号公報（２０１１年３月１０日公開）
【特許文献３】特開２０１１‐９０３８６号公報（２０１１年５月６日公開）
【発明の概要】
【発明が解決しようとする課題】
【０００７】
しかし、特許文献１の技術では、ユーザーの興味を把握するには、ユーザーからの文字の入力を受け付ける必要があり、ユーザーからの文字入力が不要な情報表示装置には適用ができない。
【０００８】
また、特許文献２の技術に関して、本来ユーザーが表示させたいＷｅｂコンテンツの画像と、広告用の画像とは、一体で表示され、一方の画像がスクロールされると、他方の画像もそれに合せてスクロールされ、表示されることが通常である。
【０００９】
このように、本来表示させたいＷｅｂコンテンツの画像と、広告用画像とが一体でスクロールして表示される場合、ユーザーが、実際には、本来表示させたいＷｅｂコンテンツの画像を閲覧しているのか、広告用の画像を閲覧しているのかを判断することができない。
【００１０】
このため、特許文献２の技術では、広告効果を十分に高めることができない。
【００１１】
また、特許文献３の技術に関して、撮影により、表示部の前に観者が立ち止まっているか否かを判定している。しかし、立ち止まっていると判定された観者が、実際に、表示部に表示されている情報を注視している観者なのか、又は、別の理由で立ち止まっているだけなのか、あるいは、人ではなく他の物体なのかを判定することができず、十分に広告効果を高めることができない。さらに、観者がいるか否かを、撮影することで判定しているため、システムが複雑となる。
【００１２】
本発明は、上記の問題点を解決するためになされたもので、その目的は、システムが必要以上に複雑化せず、かつ、文字入力が無くても、表示される広告の広告効果を確実に高めることである。
【課題を解決するための手段】
【００１３】
上記の課題を解決するために、本発明の情報表示装置は、複数ページから構成されているコンテンツの１ページを示す第１ページのコンテンツ画像を表示画面に表示させて、ユーザーのページめくり操作に対応して、当該第１ページのコンテンツ画像の次ページである第２ページのコンテンツ画像を表示画面に表示させるページめくり処理を行う情報表示装置であって、上記ページめくり処理の際、上記第１ページのコンテンツ画像の裏面を表す裏面画像を、当該第１ページのコンテンツ画像の一部に重畳するように上記表示画面に表示させる裏面画像表示制御部と、上記裏面画像表示制御部が表示させる上記裏面画像内に、付加的な情報を表示させる付加情報制御部と、上記表示画面に表示された付加的な情報と関連する情報が格納された記憶部と、上記表示画面に表示された上記付加的な情報の表示時間の長さを測定する時間計測部と、を備え、上記時間計測部が計測した上記付加的な情報の表示時間の長さが、予め定められた一定時間以上である場合、上記付加情報制御部は上記記憶部を参照し、上記第２ページのコンテンツ画像のページめくり処理の際、当該第２ページのコンテンツ画像の一部に重畳して表示される、当該第２ページのコンテンツ画像の裏面を表す裏面画像に、前回表示した上記付加的な情報と関連する情報を、付加的な情報として表示させることを特徴としている。
【００１４】
上記の課題を解決するために、本発明の情報表示方法は、複数ページから構成されているコンテンツの１ページを示す第１ページのコンテンツ画像を表示画面に表示させて、ユーザーのページめくり操作に対応して、当該第１ページのコンテンツ画像の次ページである第２ページのコンテンツ画像を表示画面に表示させるページめくりステップを有する情報表示方法であって、上記ページめくりステップの際、上記第１ページのコンテンツ画像の裏面を表す裏面画像を、当該第１ページのコンテンツ画像の一部に重畳するように上記表示画面に表示させるステップと、上記表示される裏面画像内に、付加的な情報を表示させるステップと、上記表示画面に表示された上記付加的な情報の表示時間の長さを測定するステップと、上記測定された上記表示画面に表示された上記付加的な情報の表示時間の長さが、予め定められた一定時間以上である場合、上記表示画面に表示された付加的な情報と関連する情報が格納された記憶部を参照し、上記第２ページのコンテンツ画像のページめくり処理の際、当該第２ページのコンテンツ画像の一部に重畳して表示される、当該第２ページのコンテンツ画像の裏面を表す裏面画像に、前回表示した上記付加的な情報と関連する情報を、付加的な情報として表示させるステップとを有することを特徴としている。
【００１５】
上記構成によると、上記ページめくり処理を行うため、ユーザーは、通常の書籍を見るように、表示画面に表示される各コンテンツ画像を見ることができる。
【００１６】
そして、上記ページめくり処理の際、上記第１ページのコンテンツ画像の裏面を表す裏
面画像を、当該第１ページのコンテンツ画像の一部に重畳するように上記表示画面に表示させる裏面画像表示制御部と、上記裏面画像表示制御部が表示させる上記裏面画像内に、付加的な情報を表示させる付加情報制御部とを備えているため、上記表示画面の表示領域を有効利用して、上記付加的な情報を上記表示画面に表示することができる。
【００１７】
さらに、上記構成によると、上記時間計測部が計測した上記付加的な情報の表示時間の長さが、予め定められた一定時間以上である場合、上記付加情報制御部は上記記憶部を参照し、上記第２ページのコンテンツ画像のページめくり処理の際、当該第２ページのコンテンツ画像の一部に重畳して表示される、当該第２ページのコンテンツ画像の裏面を表す裏面画像に、前回表示した上記付加的な情報と関連する情報を、付加的な情報として表示させるため、ユーザーが興味を示した情報を、効率よく、付加的な情報として、上記表示画面に表示することができる。このため、システムが必要以上に複雑化せず、かつ、文字入力が無くても、付加的な情報として表示される情報の広告効果を高めることができる。
【００１８】
また、上記記憶部には、互いに異なる属性を有し関連性が無い第１及び第２の情報群が記憶されており、上記第１及び第２の情報群は、それぞれ、第１階層の情報と、当該第１階層の情報の属性を含むことで当該第１階層の情報と関連性がある情報である第２階層の情報とを有することが好ましい。このように、付加的な情報として表示する情報を関連付けて記憶しておくことができる。
【００１９】
また、上記第１ページのコンテンツ画像のページめくり処理の際、上記付加情報制御部は、上記記憶部に記憶されている上記第１の情報群の第１階層の情報を、上記付加的な情報として上記表示画面に表示させ、上記時間計測部が計測した上記付加的な情報の表示時間の長さが、予め定められた一定時間以上である場合、上記付加情報制御部は上記記憶部を参照し、上記第２ページのコンテンツ画像のページめくり処理の際、当該第２ページのコンテンツ画像の裏面画像に、上記第１の情報群の第２階層の情報を、上記付加的な情報として表示させることが好ましい。
【００２０】
上記構成により、ユーザーが興味を示した情報について、さらに具体的な情報を、付加的な情報として表示させることができるため、確実に、付加的な情報の広告効果を高めることができる。
【００２１】
また、上記第１ページのコンテンツ画像のページめくり処理の際、上記付加情報制御部は、上記記憶部に記憶されている上記第１の情報群の第１階層の情報を、上記付加的な情報として上記表示画面に表示させ、上記時間計測部が計測した上記付加的な情報の表示時間の長さが、予め定められた一定時間未満である場合、上記付加情報制御部は上記記憶部を参照し、上記第２ページのコンテンツ画像のページめくり処理の際、当該第２ページのコンテンツ画像の裏面画像に、上記第２の情報群の第１階層の情報を、上記付加的な情報として表示させることが好ましい。
【００２２】
上記構成により、ユーザーが興味を示さなかった情報が再度、付加的な情報として表示されることを防止することができるため、付加的な情報の広告効果の低下を抑制することができる。
【００２３】
また、上記第２ページのコンテンツ画像のページめくり処理に際して、上記時間計測部が計測した上記付加的な情報の表示時間の長さが、予め定められた一定時間未満である場合、上記付加情報制御部は上記記憶部を参照し、上記第２ページの次ページである第３のページのコンテンツ画像のページめくり処理の際、当該第３ページのコンテンツ画像の一部に重畳して表示される、当該第３ページのコンテンツ画像の裏面を表す裏面画像に、上記第２の情報群の第１階層の情報を、上記付加的な情報として表示させることが好ましい
。
【００２４】
上記構成によると、ユーザーの興味の変化に追従して、新たに、ユーザーが興味を示す情報を上記付加的な情報として表示させることができるため、上記付加的な情報の広告効果の低下抑制をすることができる。
【００２５】
なお、上記は、コンピュータによって実現してもよい。この場合、コンピュータを上記各ステップとして動作させることにより上記をコンピュータにおいて実現する情報表示プログラム、およびその情報表示プログラムを記録したコンピュータ読み取り可能な記録媒体も、本発明の範疇に入る。
【発明の効果】
【００２６】
本発明の情報表示装置は、複数ページから構成されているコンテンツの１ページを示す第１ページのコンテンツ画像を表示画面に表示させて、ユーザーのページめくり操作に対応して、当該第１ページのコンテンツ画像の次ページである第２ページのコンテンツ画像を表示画面に表示させるページめくり処理を行う情報表示装置であり、上記ページめくり処理の際、上記第１ページのコンテンツ画像の裏面を表す裏面画像を、当該第１ページのコンテンツ画像の一部に重畳するように上記表示画面に表示させる裏面画像表示制御部と、上記裏面画像表示制御部が表示させる上記裏面画像内に、付加的な情報を表示させる付加情報制御部と、上記表示画面に表示された付加的な情報と関連する情報が格納された記憶部と、上記表示画面に表示された上記付加的な情報の表示時間の長さを測定する時間計測部と、を備え、上記時間計測部が計測した上記付加的な情報の表示時間の長さが、予め定められた一定時間以上である場合、上記付加情報制御部は上記記憶部を参照し、上記第２ページのコンテンツ画像のページめくり処理の際、当該第２ページのコンテンツ画像の一部に重畳して表示される、当該第２ページのコンテンツ画像の裏面を表す裏面画像に、前回表示した上記付加的な情報と関連する情報を、付加的な情報として表示させる。
【００２７】
本発明の情報表示方法は、複数ページから構成されているコンテンツの１ページを示す第１ページのコンテンツ画像を表示画面に表示させて、ユーザーのページめくり操作に対応して、当該第１ページのコンテンツ画像の次ページである第２ページのコンテンツ画像を表示画面に表示させるページめくりステップを有する情報表示方法であり、上記ページめくりステップの際、上記第１ページのコンテンツ画像の裏面を表す裏面画像を、当該第１ページのコンテンツ画像の一部に重畳するように上記表示画面に表示させるステップと、上記表示される裏面画像内に、付加的な情報を表示させるステップと、上記表示画面に表示された上記付加的な情報の表示時間の長さを測定するステップと、上記測定された上記表示画面に表示された上記付加的な情報の表示時間の長さが、予め定められた一定時間以上である場合、上記表示画面に表示された付加的な情報と関連する情報が格納された記憶部を参照し、上記第２ページのコンテンツ画像のページめくり処理の際、当該第２ページのコンテンツ画像の一部に重畳して表示される、当該第２ページのコンテンツ画像の裏面を表す裏面画像に、前回表示した上記付加的な情報と関連する情報を、付加的な情報として表示させるステップとを有する。
【００２８】
これにより、システムが必要以上に複雑化せず、かつ、文字入力が無くても、表示される広告の広告効果を確実に高めることできるという効果を奏する。
【図面の簡単な説明】
【００２９】
【図１】本発明の情報表示装置の構成を表すブロック図である。
【図２】本発明の情報表示装置の外観を表す図である。
【図３】データベースの階層構造を表す図である。
【図４】検索情報の構成を表す図である。
【図５】比較例の情報表示装置の画面遷移の様子を表す図である。
【図６】本発明の情報表示装置の画面遷移の様子を表す図である。
【図７】（ａ）は情報Ａ群の構造を表す図であり、（ｂ）は情報Ｂ群の構造を表す図である。
【図８】本発明の情報表示装置の処理の流れを表すフローチャートである。
【図９】本発明の情報表示装置の多パターンの処理の流れを説明する図である。
【発明を実施するための形態】
【００３０】
以下、本発明の実施の形態について、詳細に説明する。
【００３１】
（情報表示端末の外観）
まず、図２を用いて、本発明の情報表示装置１の外観について説明する。
【００３２】
図２は、本発明の情報表示装置の外観を表す図である。
【００３３】
図２に示すように、情報表示装置１は、表示画面２を備えている。表示画面２は、タッチパネルである。表示画面２は、画像の表示領域であると共に、表示画面２にタッチ（接触）又は近接されたユーザーの指やペン等の対象物の位置を検出することで、ユーザーからの指示を取得する領域でもある。表示画面２は、表示部２１と、入力部２３とを備えている。
【００３４】
情報表示装置１は、例えば、インターネットなどの通信網を介して、外部から、動画コンテンツ、静止画コンテンツ、音声コンテンツを取得し、当該取得した各種コンテンツを再生したり、表示画面２に画像を表示したりすることができる情報表示装置である。
【００３５】
情報表示装置１としては、例えば、電話機能付き携帯端末や、電子辞書、タブレット等の各種の情報端末を挙げることができるが、特にこれらに限定されるものではない。
【００３６】
情報表示装置１は、少なくとも、例えば電子書籍等、複数ページからなるコンテンツの画像を表示画面２に表示し、ユーザーが、その表示された画像のページめくり操作（後述する）をすることが可能な情報表示装置であればよい。
【００３７】
表示部２１は、画像を表示するための表示パネルである。表示部２１の一例は、液晶パネルである。なお、表示部２１は、情報表示装置１が処理を実行するコンテンツの画像（コンテンツ画像）の表示が可能であればよく、液晶パネル以外の表示パネルであってもよい。
【００３８】
入力部２３は、表示部２１の表面に配されている。入力部２３は、ユーザーが、表示画面２にタッチさせた指やペンなど検出対象物の表示画面２上の位置を検出するものである。入力部２３の一例はタッチセンサである。なお、入力部２３は、表示画面２にタッチされた指やペン等の検出対象物の表示画面２上の位置を検出できればよく、静電容量方式や、光学式等、各種方式のタッチセンサを用いることができる。
【００３９】
なお、本実施の形態では、入力部２３は、検出対象物として、ユーザーの指を検出するものとして説明する。
【００４０】
（ページめくり操作の概略）
次に、図２を用いて、ページめくり操作及び当該ページめくり操作に伴う情報表示装置１のページめくり処理の概略を説明する。
【００４１】
まず、情報表示装置１は、表示画面２に、複数ページからなるコンテンツ画像の１ページ目のコンテンツ画像である本文Ｐａｇｅ１を表示しているものとする。
【００４２】
ここで、表示画面２に表示中のコンテンツ画像は、最も、ユーザーが見ることを所望している主情報であるとも表現することができる。
【００４３】
ページめくり操作は、ユーザーが、指で表示画面２にタッチしながら、表示画面２の右側から左側へ指をスライドさせる操作（順送り）、又は、表示画面２の左側から右側へ指をスライドさせる操作（逆送り）のことである。
【００４４】
または、表示画面２の片隅に表示された「ページめくりを指示するためのソフトキー」を介した操作、あるいは、情報表示装置１の表示画面２の近傍のフレームに設けられたボタンのようなハードキーを介した操作を、ページめくり操作として採用してもよい。
【００４５】
そして、ページめくり処理は、ユーザーのこのページめくり操作に伴い、表示画面２が、現在表示しているコンテンツ画像を、次ページのコンテンツ画像に切替えるまでの処理のことである。
【００４６】
すなわち、ページめくり処理は、ページめくり操作のために、表示画面２に接触させたユーザーの指がスライドしたことを情報表示装置１が検出したときから、当該接触された指が離れたことを検出したときまで、又は、ハードキーを用いる場合は、当該ハードキーが押下されたことを検出したときから、その押下が解除されたことを検出したときまでの処理のことである。
【００４７】
情報表示装置１は、ページめくり処理で、表示画面２に現在表示しているコンテンツ画像の一部に重畳させて、当該コンテンツ画像の裏面を表す裏面画像を表示してから、当該コンテンツ画像の次ページのコンテンツ画像を、表示画面２に表示する。
【００４８】
順送りでは、情報表示装置１は、現在、表示画面２に表示しているコンテンツ画像の背面側のコンテンツ画像を表示することで、コンテンツ画像のページを進めるように、ページめくり処理を行う。
【００４９】
一方、逆送りでは、情報表示装置１は、現在、表示画面２に表示しているコンテンツ画像の前面側に配されていたコンテンツ画像を表示することで、コンテンツ画像のページを戻すように、ページめくり処理を行う。
【００５０】
具体的には、順送りにより、情報表示装置１は、現在表示画面２に表示している１ページ目のコンテンツ画像である本文Ｐａｇｅ１から、本文Ｐａｇｅ１の一つ背面である２ページ目のコンテンツ画像である本文Ｐａｇｅ２に表示を切替えるページめくり処理を行い表示画面２に表示させる。
【００５１】
そして、情報表示装置１は、本文Ｐａｇｅ１を本文Ｐａｇｅ２に切替える際、本文Ｐａｇｅ１の裏面を表す裏面画像ＰＢ１を表示してから、本文Ｐａｇｅ２を表示画面２の全面に表示するようにページめくり処理を行う。
【００５２】
裏面画像ＰＢ１は、本文Ｐａｇｅ１の右下の角を内側に折り返すことで本文Ｐａｇｅ１の裏面が表示されていることを表す画像である。
【００５３】
情報表示装置１は、表示画面２にタッチされているユーザーの指の右側から左側への移動に伴い、本文Ｐａｇｅ１の裏面画像ＰＢ１を、表示画面２の右下から左上に向けて移動
させると共に、次第に面積がある程度の大きさまで大きくなるように、本文Ｐａｇｅ１に重畳して表示する。
【００５４】
さらに、情報表示装置１は、裏面画像ＰＢ１が通過した領域には、本文Ｐａｇｅ１の背面の本文Ｐａｇｅ２の一部が、ユーザーの指の移動に伴い、右下から次第に面積が大きくなるように表示画面２に表示する。
【００５５】
そして、情報表示装置１は、ユーザーの指が表示画面２から離れたことを検出すると、表示画面２は、全面に、本文Ｐａｇｅ２を表示し、情報表示装置１はページめくり処理を終了する。
【００５６】
このように、ページめくり操作に伴い、情報表示装置１は、表示画面２に、本文Ｐａｇｅ１の裏面ＰＢ１を見せつつ、次ページの本文Ｐａｇｅ２の画像を表示することで、ユーザーは、実際の書籍のページをめくっているような感覚で、表示画面２に表示されているコンテンツ画像を見ることができる。
【００５７】
さらに、情報表示装置１は、ページめくり処理で、各ページの裏面画像に、付加的な情報５を、その裏面画像内に表示する。
【００５８】
例えば、情報表示装置１は、本文Ｐａｇｅ１を順送りでページめくり処理しているときには、本文Ｐａｇｅ１の裏面画像ＰＢ１の領域内に、付加的な情報５を表示する。
【００５９】
付加的な情報５の一例は広告情報である。ただし、広告情報の、表示画面２に表示中のコンテンツの内容との関連性は問わない。テレビ放送のコマーシャルのように、コンテンツの提供者自身の宣伝、またはその提供者が販売している商品の宣伝などは、コンテンツの内容と無関係な付加的な情報５の一例である。
【００６０】
また、付加的な情報５の他の例は、表示画面２に画像が表示されているコンテンツに関係のある補足的情報そのものであってもよい。
【００６１】
例えば、コンテンツ画像中に登場した人物、品物または場所の拡大画像、あるいは、その人物、品物または場所に関する説明情報、あるいは、コンテンツの作者の紹介、あるいは、より詳しい補足的情報にアクセスするための案内情報などを付加的な情報５として表示画面２に表示してもよい。
【００６２】
情報表示装置１は、このように、ページめくり処理の際に表示画面２に表示する裏面画像に付加的な情報５を表示する。これにより、付加的な情報５を表示するために、ユーザーが見ることを所望しているコンテンツ画像が隠れてしまったり、レイアウトを再構成したりする等の余計な処理を回避することができる。また、表示画面２に表示される大量の付加的な情報５を、ユーザーが強制的に閲覧させられたり、その大量の付加的な情報５を無視するために、大量の付加的な情報５のページを飛ばす処理をユーザーが強いられたりするという問題を解決することができる。
【００６３】
また、逆送りの場合は、表示画面２は、本文Ｐａｇｅ２を本文Ｐａｇｅ１に切替える際、本文Ｐａｇｅ１の裏面を表す裏面画像ＰＢ１を表示してから、本文Ｐａｇｅ１を表示画面２の全面に表示するようにページめくり処理を行う。
【００６４】
逆送りの場合、表示画面２は、タッチされているユーザーの指の左側から右側への移動に伴い、本文Ｐａｇｅ１の裏面画像ＰＢ１を、表示画面２の左上から右下に向けて次第に面積が小さくなるように、本文Ｐａｇｅ２に重畳して表示する。
【００６５】
さらに、表示画面２は、裏面画像ＰＢ１が通過した領域には、本文Ｐａｇｅ１の一部が、ユーザーの指の移動に伴い、左上から次第に面積が大きくなるように表示する。そして、ユーザーの指が離れると、表示画面２は、全面に、本文Ｐａｇｅ１を表示する。
【００６６】
情報表示装置１は、順送り及び逆送りの際に、表示画面２に表示した付加的な情報５を、ユーザーが注視したか否かを判定する。そして、付加的な情報５を注視したと判定すると、同じ属性情報を含み、さらに具体的な情報を、ページめくり処理毎に、順に表示していく。
【００６７】
一例として、以下の説明では主に、情報表示装置１は、表示画面２に表示した付加的な情報５を、ユーザーが注視したか否かを判定する判定方法として、ページめくり処理に要した時間長さに基づいて判定するものとする。しかし、これだけに限定されるものではなく、後述するように、さらに、情報表示装置１は、付加的な情報５として表示画面２に表示した回数や、表示した累積時間長さに基づいて、ページめくり処理毎に表示する属性情報の種類を変更してもよい。
【００６８】
（情報表示装置の構成）
次に、図１を用いて、情報表示装置１の構成について説明する。
【００６９】
図１は、情報表示装置１の構成を表すブロック図である。
【００７０】
図１に示すように、情報表示装置１が付加的な情報５を表示するために必要な情報を外部装置から取得することができるように、情報表示装置１は、ネットワーク３０を介して、外部装置としての情報サーバ４０と通信を行うようになっている。
【００７１】
情報表示装置１は、制御部１０と、表示画面２を構成する表示部２１及び入力部２３と、通信制御部２２、音声入力部２４、記憶部２５、およびスピーカまたはバイブレーションを含む報知部２６、タイマー（時間計測部）２７とを備えている。
【００７２】
制御部１０は、一又は複数のＣＰＵにより構成されており、アプリケーション制御部（裏面画像表示制御部）１４と、ユーザー操作検出部１５と、タイマー制御部１６とを備えている。また、アプリケーション制御部１４は、付加情報制御部１４ａを備えている。
【００７３】
アプリケーション制御部１４は、ユーザー操作検出部１５からの指示に基づいて、記憶部２５を参照し、アプリケーションを実行したり、制御したりする。アプリケーション制御部１４は、ユーザー操作検出部１５から指の位置情報を取得すると、付加情報制御部１４ａは、記憶部２５ａの検索情報５０を参照し、階層情報と、当該階層情報に対応する属性情報とを取得する。
【００７４】
また、アプリケーション制御部１４は、ページめくり処理の際、ユーザーの指の位置に合せて、表示画面２に表示しているコンテンツ画像（本文Ｐａｇｅ１等）の一部に重畳するように裏面画像ＰＢ１を表示部２１に表示させる。
【００７５】
付加情報制御部１４ａは裏面画像の面積内に、記憶部２５ａから取得した属性情報を付加的な情報５として、表示部２１に表示させるものである。
【００７６】
付加情報制御部１４ａは、アプリケーション制御部１４がタイマー２７の時間情報を取得すると、当該取得した時間情報が示す時間が、予め設定してある一定時間以上であるか否かを判定する。
【００７７】
付加情報制御部１４ａは、タイマー２７の時間情報が示す時間が、一定時間以上であると判定すると、付加的な情報５として表示した情報をユーザーが注視した、すなわち興味を持ったと判定し、記憶部２５ａに格納されている検索情報５０の各階層の格納部のうち、識別情報が格納されていない最も上層の階層の格納部に、属性情報を識別するための識別情報を格納する。
【００７８】
ユーザー操作検出部１５は、入力部２３又は音声入力部２４からのユーザーの入力を取得し、当該取得したユーザーからの入力をアプリケーション制御部１４に出力する。また、ユーザー操作検出部１５は、ユーザーがページめくり操作をしたことを検出すると、ページめくり処理の実行を開始させるため、タイマー制御部１６に動作開始のための指示信号を出力する。
【００７９】
ユーザー操作検出部１５は、ユーザーがページめくり操作を終了したことを検出すると、ページめくり処理の実行を終了させるため、タイマー制御部１６に動作終了のための指示信号を出力したり、アプリケーション制御部１４に、ユーザーの指が離れた旨の情報を出力したりする。
【００８０】
タイマー制御部１６は、ユーザー操作検出部１５からの指示信号に基づいて、タイマー２７の動作を制御する。タイマー制御部１６は、ユーザー操作検出部１５からタイマー２７の動作を開始させる旨の指示信号を取得すると、タイマー２７を動作させる。また、タイマー制御部１６は、ユーザー操作検出部１５からタイマー２７の動作を終了させる旨の指示信号を取得すると、タイマー２７を動作させる。
【００８１】
記憶部２５は、データを一次的に記憶する記憶部２５ａと、データを非一時的に記憶する記憶部２５ｂとを備えている。記憶部２５ａの一例はＲＡＭであり、記憶部２５ｂの一例はＲＯＭである。
【００８２】
記憶部２５ａには、コンテンツ画像を表示するためのコンテンツ情報や、付加的な情報５を表示するためのデータベースＤＢ・検索情報５０等が記憶されている。
【００８３】
記憶部２５ａに記憶されるやコンテンツ情報やデータベースＤＢ・検索情報５０の取得経路は、多様であってよい。例えば、通信制御部２２をネットワーク３０に接続し、情報サーバ４０からコンテンツ情報およびデータベースＤＢ・検索情報５０を受信してもよいし、情報表示装置１に脱着可能な各種記憶媒体からコンテンツ情報およびデータベースＤＢ・検索情報５０を読み込んでもよい。
【００８４】
（データベース及び検索情報）
次に、図３及び図４を用いて、付加的な情報５を表示するために、記憶部２５ａに記憶されているデータベースＤＢ及び検索情報５０について説明する。
【００８５】
図３は、データベースＤＢの階層構造を表す図である。なお、データベースＤＢの具体的な構成については後述する。
【００８６】
図３に示すように、データベースＤＢは、異なる属性情報を有する複数の情報群を有している。そして、各情報群は、階層構造となっており、階層が下がるに従って（すなわち階層番号が増加するに従って）上位の階層の情報をより、具体的に表す情報となっている。
【００８７】
例えば、第１の階層であるＬｅｖｅｌ１として、互いに属性情報が異なる複数の情報Ａ
、Ｂ、Ｃ、・・・が配されている。第１の階層に配されている情報Ａ・情報Ｂ・情報Ｃ・・・が第１の属性情報を示す。
【００８８】
そして、第２の階層を表す階層情報であるＬｅｖｅｌ２として、情報Ａの下層には、情報Ａの内容をより具体的に表す情報Ａ’が配されており、情報Ｂの下層には、情報Ｂの内容をより具体的に表す情報Ｂ’が配されており、情報Ｃの下層には、情報Ｃの内容をより具体的に表す情報Ｃ’が配されており、・・・という構成となっている。第２の階層に配されている情報Ａ’・情報Ｂ’・情報Ｃ’・・・が第２の属性情報を示す。
【００８９】
図７（ａ）（ｂ）を用いて後述するように、情報Ａ’は、情報Ａの属性情報を有し、互いに異なる情報Ａ’１・Ａ’２・Ａ’３・・・から選択される何れかの情報である。また、情報Ｂ’は、情報Ｂの属性情報を有し、互いに異なる情報Ｂ’１・Ｂ’２・Ｂ’３・・・から選択される何れかの情報である。同様に、情報Ｃ’は、情報Ｃの属性情報を有し、互いに異なる情報Ｃ’１・Ｃ’２・Ｃ’３・・・から選択される何れかの情報である。
【００９０】
さらに、第３の階層を表す階層情報であるＬｅｖｅｌ３として、情報Ａ’の下層には、情報Ａ’の内容をより具体的に表す情報Ａ’’が配されており、情報Ｂ’の下層には、情報Ｂ’の内容をより具体的に表す情報Ｂ’’が配されており、情報Ｃ’の下層には、情報Ｃ’の内容をより具体的に表す情報Ｃ’’が配されており、・・・という構成となっている。第３の階層に配されている情報Ａ’’・情報Ｂ’’・情報Ｃ’’・・・が第３の属性情報を示す。
【００９１】
図７（ａ）（ｂ）を用いて後述するように、情報Ａ’’は、情報Ａ及び情報Ａ’の属性情報を有し、互いに異なる情報Ａ’’１・Ａ’’２・Ａ’’３・・・から選択される何れかの情報である。また、情報Ｂ’’は、情報Ｂ及び情報Ｂ’の属性情報を有し、互いに異なる情報Ｂ’’１・Ｂ’’２・Ｂ’’３・・・から選択される何れかの情報である。同様に、情報Ｃ’’は、情報Ｃ及び情報Ｃ’の属性情報を有し、互いに異なる情報Ｃ’’１・Ｃ’’２・Ｃ’’３・・・から選択される何れかの情報である。
【００９２】
さらに、下層の階層を設けてもよい。
【００９３】
情報Ａ・Ａ’・Ａ’’・・・が、同じ属性情報を有する一まとまりの情報群（情報Ａ群と称する場合がある）であり、情報Ｂ・Ｂ’・Ｂ’’・・・が、同じ属性情報を有する一まとまりの情報群（情報Ｂ群と称する場合がある）であり、情報Ｃ・Ｃ’・Ｃ’’・・・が、同じ属性情報を有する一まとまりの情報群（情報Ｃ群と称する場合がある）である。
【００９４】
（検索情報の構成）
図４は、検索情報５０の構成を表す図である。図４に示すように、検索情報５０は、付加的な情報５として表示する情報を検索するための情報であり、記憶部２５ａに格納される。
【００９５】
検索情報５０は、第１の属性情報格納部５１と、第２の属性情報格納部５２と、第３の属性情報格納部５３とを備えている。
【００９６】
第１の属性情報格納部５１は、第１の属性情報を特定するためのものである。付加情報制御部１４ａによって、第１の属性情報格納部５１には、情報Ａ・Ｂ・Ｃ・・・の何れかを識別するための識別情報が格納される。
【００９７】
第２の属性情報格納部５２は、第２の属性情報を特定するためのものである。付加情報制御部１４ａによって、第２の属性情報格納部５２には、情報Ａ’・Ｂ’・Ｃ’・・・の
何れかを識別するための識別情報が格納される。
【００９８】
第３の属性情報格納部５３は、第３の属性情報を特定するためのものである。付加情報制御部１４ａによって、第３の属性情報格納部５３には、情報Ａ’’・Ｂ’’・Ｃ’’・・・の何れかを識別するための識別情報が格納される。
【００９９】
また、情報Ａ群・情報Ｂ群、情報Ｃ群が、４以上の深い階層を有する場合は、それに対応して、検索情報５０に、第４の属性情報格納部、第５の属性情報格納部・・・を設けてもよい。
【０１００】
付加情報制御部１４ａは、付加的な情報５として表示したＬｅｖｅｌ１の情報（情報Ａ・Ｂ・Ｃ・・・）が、ユーザーに注視されたと判定すると、第１の属性情報格納部５１に、そのときのユーザーに注視されたと判定された情報の識別情報（例えば情報Ａのフォルダ名）を、第１の属性情報格納部５１に格納する。
【０１０１】
そして、付加情報制御部１４ａは、次に、付加的な情報５を表示する際には、第１の属性情報格納部５１に格納された識別情報から識別される情報群（例えば情報Ａ群）のＬｅｖｅｌ２の情報（例えば情報Ａ’）を、付加的な情報５として表示画面２に表示させる。
【０１０２】
さらに、付加情報制御部１４ａは、付加的な情報５として表示したＬｅｖｅｌ２の情報（情報Ａ’・Ｂ’・Ｃ’・・・）が、ユーザーに注視されたと判定すると、第２の属性情報格納部５２に、そのときのユーザーに注視されたと判定された情報の識別情報（例えば情報Ａ’のフォルダ名）を、第２の属性情報格納部５２に格納する。
【０１０３】
そして、付加情報制御部１４ａは、次に、付加的な情報５を表示する際には、第２の属性情報格納部５２に格納された識別情報から識別される情報群（例えば情報Ａ群）のＬｅｖｅｌ３の情報（例えば情報Ａ’’）を、付加的な情報５として表示画面２に表示させる。
【０１０４】
（遷移画面について）
次に、図５、図６を用いて、情報表示装置１の画面遷移の様子について説明する。まず、図５を用いて、情報表示装置１とは異なる情報表示装置１０１の画面遷移の様子について説明する。図５は、比較例の情報表示装置１０１の画面遷移の様子を表す図である。
【０１０５】
図５の（ａ）に示すように、情報表示装置１０１の表示画面１０２には、１ページ目のコンテンツ画像である本文Ｐａｇｅ１が表示されている。
【０１０６】
そして、図５の（ｂ）に示すように、表示画面１０２にユーザーが指を接触させ、順送りのページめくり操作を行うと、情報表示装置１０１は、ページをめくる途中の画面を表示する。すなわち、情報表示装置１０１は、ページめくり処理を開始し、ユーザーの指の位置に合せて、本文Ｐａｇｅ１の右下から左上にかけて移動するように、裏面画像ＰＢ１を表示する。さらに、情報表示装置１０１は、その裏面画像ＰＢ１内に、広告情報などの付加的な情報ＺＡを表示する。
【０１０７】
次に図５の（ｃ）に示すように、ユーザーがページめくり操作を終了し表示画面１０２から指を離すと、情報表示装置１０１は、次ページの本文を表示する。すなわち、情報表示装置１０１は、裏面画像ＰＢ１及び付加的な情報ＺＡの表示を終了し、本文Ｐａｇｅ１の次のページである本文Ｐａｇｅ２の画像を表示画面１０２の全面に表示する。
【０１０８】
そして、図５の（ｄ）に示すように、表示画面１０２にユーザーが指を接触させ、再度
、順送りのページめくり操作を行うと、情報表示装置１０１は、再度、ページをめくる途中の画面を表示する。
【０１０９】
すなわち、情報表示装置１０１は、ページめくり処理を開始し、ユーザーの指の位置に合せて、本文Ｐａｇｅ２の右下から左上にかけて移動するように、裏面画像ＰＢ２を表示する。さらに、情報表示装置１０１は、その裏面画像ＰＢ２内に、広告情報などの付加的な情報ＺＢを表示する。
【０１１０】
ここで、情報表示装置１０１は、付加的な情報ＺＢとして、先程表示した付加的な情報ＺＡと内容が全く関係が無い広告情報を表示したり、予め決められた順番で広告情報を、付加的な情報ＺＢとして表示したりする。
【０１１１】
このように、情報表示装置１０１は、一度表示した付加的な情報ＺＡに、ユーザーが注視したか否かに関係なく、次の広告情報を表示するため、広告効果が低い。
【０１１２】
次に、図６を用いて、情報表示装置１の画面遷移の様子について説明する。
【０１１３】
図６は、情報表示装置１の画面遷移の様子を表す図である。
【０１１４】
図６の（ａ）に示すように、情報表示装置１の表示画面２には、１ページ目のコンテンツ画像である本文Ｐａｇｅ１が表示されている。
【０１１５】
そして、図６の（ｂ）に示すように、表示画面２にユーザーが指を接触させ、順送りのページめくり操作を行うと、情報表示装置１は、ページをめくる途中の画面を表示する。すなわち、情報表示装置１は、ページめくり処理を開始し、ユーザーの指の位置に合せて、本文Ｐａｇｅ１の右下から左上にかけて移動するように、本文Ｐａｇｅ１の裏面を表す裏面画像ＰＢ１を表示する。
【０１１６】
さらに、情報表示装置１は、その裏面画像ＰＢ１内に、広告情報などの付加的な情報５として、情報Ａを表示する。そして、情報表示装置１は、タイマー２７で、情報Ａを表示した時間長さを計測する。
【０１１７】
そして、ユーザーは、表示された情報Ａの内容を、特に注視はせず、通常通り、予め設定された一定時間（例えば１秒）以内に指のスライドを終了させて、図６の（ｃ）に示すように、ページめくり操作を終了し、表示画面２から指を離したとする。
【０１１８】
すると、情報表示装置１は、一度表示した情報Ａをユーザーは注視をしなかったと判定し、次ページの本文を表示する。すなわち、情報表示装置１は、裏面画像ＰＢ１及び情報Ａの表示を終了し、本文Ｐａｇｅ１の次のページである本文Ｐａｇｅ２の画像を表示画面２の全面に表示する。
【０１１９】
そして、図６の（ｄ）に示すように、表示画面２にユーザーが指を接触させ、再度、順送りのページめくり操作を行うと、情報表示装置１は、再度、ページをめくる途中の画面を表示する。
【０１２０】
すなわち、情報表示装置１は、ページめくり処理を開始し、ユーザーの指の位置に合せて、本文Ｐａｇｅ２の右下から左上にかけて移動するように、裏面画像ＰＢ２を表示する。さらに、情報表示装置１は、その裏面画像ＰＢ２内に、先程、ユーザーが注視をしなかった情報Ａとは異なる属性情報である情報Ｂを、付加的な情報として裏面画像ＰＢ２内に表示する。
【０１２１】
このように、ユーザーが興味を示さなかった情報が再度、付加的な情報として表示されることを防止することができるため、付加的な情報の広告効果の低下を抑制することができる。
【０１２２】
また、図６の（ｂ）で、情報表示装置１は、裏面画像ＰＢ１内に情報Ａを表示した際、ユーザーがその情報Ａを注視し、スライドさせている指を止めて、又は、スライドさせる速度を遅くすることで、タイマー２７で計測した情報Ａの表示時間長さが、予め設定された一定時間（例えば１秒）以上となってから指のスライドを終了させて、図６の（ｃ）に示すように、ページめくり操作を終了し、表示画面２から指を離したとする。
【０１２３】
すると、情報表示装置１は、一度表示した情報Ａをユーザーは注視したと判定し、次ページの本文を表示する。すなわち、情報表示装置１は、裏面画像ＰＢ１及び情報Ａの表示を終了し、本文Ｐａｇｅ１の次のページである本文Ｐａｇｅ２の画像を表示画面２の全面に表示する。
【０１２４】
そして、図６の（ｅ）に示すように、表示画面２にユーザーが指を接触させ、再度、順送りのページめくり操作を行うと、情報表示装置１は、再度、ページをめくる途中の画面を表示する。
【０１２５】
すなわち、情報表示装置１は、ページめくり処理を開始し、ユーザーの指の位置に合せて、本文Ｐａｇｅ２の右下から左上にかけて移動するように、裏面画像ＰＢ２を表示する。さらに、情報表示装置１は、その裏面画像ＰＢ２内に、先程、ユーザーが注視をした情報Ａと関連し、情報Ａの更に具体的な情報である情報Ａ’を、付加的な情報として裏面画像ＰＢ２内に表示する。
【０１２６】
このように、情報表示装置１は、一度表示した付加的な情報を、ユーザーが注視したか否かを判定し、その情報をユーザーが注視したと判定すると、予め、例えば、情報Ａと関連する情報であるとカテゴライズされた情報Ａ群から、次に表示する広告情報を選択する。
【０１２７】
このため、ユーザーが興味を示した情報について、さらに具体的な情報を、付加的な情報として表示させることができるため、確実に、付加的な情報の広告効果を高めることができる。
【０１２８】
（付加的な情報のカテゴライズ例）
次に、図７（ａ）（ｂ）を用いて、付加的な情報５を表示するための情報のデータベース構造を説明する。データベースＤＢは、記憶部２５ａ又は情報サーバ４０の被挿入情報蓄積部４１に格納されている。
【０１２９】
図７（ａ）は情報Ａ群の構造を表す図であり、（ｂ）は情報Ｂ群の構造を表す図である。
【０１３０】
図７（ａ）に示すように、Ｌｅｖｅｌ１として、フォルダ名が情報Ａというフォルダ（第１の階層のフォルダ）が存在する。Ｌｅｖｅｌ１のフォルダ名は情報Ａ群の第１の属性情報を示す。この情報Ａのフォルダ名は、情報Ａの識別情報でもある。一例として、情報Ａが「自動車広告」であれば、第１の階層のフォルダのフォルダ名に第１の属性情報としての「自動車広告」が表示される。
【０１３１】
そして、第１の階層のフォルダの一つ下層には、さらに、Ｌｅｖｅｌ２の第２の属性情
報となるフォルダ名を有する第２の階層のフォルダ群（情報Ａ’１・Ａ’２・Ａ’３・・・の広告情報が格納されているフォルダ）が格納されている。このように、第２の属性情報が選択された場合に、付加的な情報５として表示する情報をＬｅｖｅｌ２へ展開することができるようになっている。
【０１３２】
第２の階層のフォルダのそれぞれには、上層のフォルダのフォルダ名「自動車広告」が示す内容を具体的に示す情報と、１から順の番号とが対応付けられたフォルダ名が付されている。
【０１３３】
ここでは、一例として、番号と車種名とが対応付けられているものとする。すなわち、情報Ａ’１・Ａ’２・Ａ’３・・・のそれぞれは、各車種の広告情報であるものとする。
【０１３４】
すると、例えば、複数の第２の階層のフォルダとして、番号１と車種ＴＰＡとが対応付けられたフォルダ名（識別情報）を有するフォルダ（情報Ａ’１のフォルダ）と、番号２と車種ＴＰＢとが対応付けられたフォルダ名（識別情報）を有するフォルダ（情報Ａ’２のフォルダ）と、番号３と車種ＴＰＣとが対応付けられたフォルダ名（識別情報）を有するフォルダ（情報Ａ’３のフォルダ）と、番号４と車種ＴＰＤとが対応付けられたフォルダ名（識別情報）を有するフォルダ（情報Ａ’４のフォルダ）と、・・・が配されている。
【０１３５】
そして、第２の階層のフォルダ群の直下には、それぞれのフォルダ名に示された情報（情報Ａ’１・Ａ’２・Ａ’３・Ａ’４・・・）と対応する広告情報が格納されている。この第２の階層のフォルダ群の直下に格納されている広告情報が、情報Ａとなる広告情報である。
【０１３６】
例えば、第２の階層のフォルダ群のうち、車種ＴＰＡが記載されたフォルダ（情報Ａ’１のフォルダ）の直下には車種ＴＰＡの広告情報（情報Ａ’１）が格納されており、車種ＴＰＢが記載されたフォルダ（情報Ａ’２のフォルダ）の直下には車種ＴＰＢの広告情報（情報Ａ’２）が格納されており、車種ＴＰＣが記載されたフォルダの直下（情報Ａ’３のフォルダ）には車種ＴＰＣの広告情報（情報Ａ’３）が格納されており、・・・となっている。
【０１３７】
この第２の階層のフォルダ群のそれぞれの直下に格納されている各広告情報（情報Ａ’１・Ａ’２・Ａ’３・Ａ’４・・・）のうち、ランダムに選択された広告情報が情報Ａである。そして、この情報Ａが、付加的な情報５として表示画面２に表示される。
【０１３８】
さらに、第２の階層のフォルダのそれぞれの一つ下層には、さらに、Ｌｅｖｅｌ３の第３の属性情報となるフォルダ名（識別情報）を有する第３の階層のフォルダ群（情報Ａ’’１・Ａ’’２・Ａ’’３・・・の広告情報が格納されているフォルダ）が格納されている。このように、第３の属性情報が選択された場合に、付加的な情報５として表示する情報をＬｅｖｅｌ３へ展開することができるようになっている。
【０１３９】
第３の階層のフォルダのそれぞれには、上層のフォルダのフォルダ名に含まれる情報（情報Ａ’１・Ａ’２・Ａ’３・・・のうち選択された何れか）を具体的に示す情報と、１から順の番号とが対応付けられたフォルダ名（識別情報）が付されている。
【０１４０】
ここでは、一例として、番号と車種の部品情報（情報Ａ’’１）、メンテ情報（情報Ａ’’２）、限定車情報（情報Ａ’’３）等が対応付けられているものとする。
【０１４１】
例えば、第２の階層の番号１と車種ＴＰＡとが対応付けられたフォルダ名（識別情報）
を有するフォルダ（情報Ａ’１のフォルダ）の直下には、第３の階層のフォルダとして、番号１と車種ＴＰＡの部品情報とが対応付けられたフォルダ名（識別情報）を有するフォルダ（情報Ａ’’１のフォルダ）と、番号２と車種ＴＰＡのメンテ情報とが対応付けられたフォルダ名（識別情報）を有するフォルダ（情報Ａ’’２のフォルダ）と、番号３と車種ＴＰＡの限定車情報とが対応付けられたフォルダ名（識別情報）を有するフォルダ（情報Ａ’’３のフォルダ）と、・・・とが格納されている。
【０１４２】
また、同様に、第２の階層の番号２・３・４・・・と、車種ＴＰＢ・ＴＰＣ・ＴＰＤ・・・とが順に対応付けられたフォルダ名（識別情報）を有するフォルダ（情報Ａ’２・Ａ’３・Ａ’４・・・のフォルダ）のそれぞれの直下には、第３の階層のフォルダ群として、第２の階層のフォルダ名に含まれる車種名（車種ＴＰＢ・ＴＰＣ・ＴＰＤ・・・）と、１から順に始まる番号とが対応付けられたフォルダ名を有する複数のフォルダが格納されている。
【０１４３】
この第３の階層のフォルダ群のそれぞれの直下に格納されている広告情報（情報Ａ’’１・Ａ’’２・Ａ’’３・Ａ’’４・・・）であり、指定された第２の階層のフォルダ（情報Ａ’１・Ａ’２・Ａ’３・Ａ’４・・・のうち選択された何れか）の直下に格納されている広告情報のうち、ランダムに選択された広告情報が情報Ａ’である。そして、この情報Ａ’が、付加的な情報５として表示画面２に表示される。
【０１４４】
このように、表示画面２に、第１の階層の情報Ａの属性を含むことで情報Ａと関連性がある情報Ａ’が、付加的な情報５として表示される。
【０１４５】
情報Ａとは属性情報が異なる他の情報Ｂも同様である。
【０１４６】
図７（ｂ）に示すように、一例として、情報Ｂが「出版物広告」であれば、第１の階層のフォルダのフォルダ名に第１の属性情報としての「出版物広告」が表示される。
【０１４７】
そして、第２の階層のフォルダのそれぞれには、上層のフォルダのフォルダ名「出版物広告」を具体的に示す情報（「雑誌」・「小説」・「コミック」・・・）と、１から順の番号とが対応付けられたフォルダ名（識別情報）が付されている。
【０１４８】
また、第２の階層のフォルダ群の直下には、情報Ａとは属性が異なる情報Ｂとして、第２階層のフォルダ名に含まれる情報（「雑誌」・「小説」・「コミック」・・・）を示す広告情報が格納されている。そして、この情報Ｂが、付加的な情報５として表示画面２に表示される。
【０１４９】
さらに、第３の階層のフォルダのそれぞれには、上層のフォルダのフォルダ名に含まれる情報（出版物の種別）を具体的に示す情報（「月刊誌」・「週刊誌」・「日刊誌」・・・）と、１から順の番号とが対応付けられたフォルダ名（識別情報）が付されている。
【０１５０】
この第３の階層のフォルダ群のそれぞれの直下であり、指定された第２の階層のフォルダの直下に格納されている広告情報のうち、ランダムに選択された広告情報が情報Ｂ’となる。そして、この情報Ｂ’が、付加的な情報５として表示画面２に表示される。
【０１５１】
このように各情報Ａ・Ｂ・Ｃ群毎に、情報が関連付けて記憶部２５ａに記憶されている。
【０１５２】
（情報表示装置１の処理の流れ）
次に、図１及び図８を用いて、情報表示装置１の処理の流れについて説明する。図８は
、情報表示装置１の処理の流れを表すフローチャートである。
【０１５３】
ユーザー操作検出部１５は、入力部２３からコンテンツ画像の表示指示情報を取得すると、当該取得した表示指示情報をアプリケーション制御部１４に出力する。そして、アプリケーション制御部１４は、ユーザー操作検出部１５からの表示指示情報を取得すると、記憶部２５を参照し、当該コンテンツのアプリケーションを実行する。これにより、アプリケーション制御部１４は、表示部２１に、複数ページからなるコンテンツの何れかのページを表すコンテンツ画像を表示させる（ステップＳ１０１）。
【０１５４】
また、アプリケーション制御部１４は、適宜、アプリケーションの実行に必要な情報、例えば、コンテンツ情報、データベースＤＢ、検索情報５０等を記憶部２５ａに格納する。
【０１５５】
次に、ユーザー操作検出部１５は、入力部２３からユーザーが指をタッチさせた旨の情報を取得することで、ユーザーの指のタッチを検出する（ステップＳ１０２のＹＥＳ）。
【０１５６】
そして、ユーザー操作検出部１５は、入力部２３から、ユーザーが表示画面２上の指をスライドさせた旨の情報を取得すると、ユーザーの指がスライドしたことを検出する（ステップＳ１０３のＹＥＳ）。
【０１５７】
すると、ユーザー操作検出部１５は、ユーザーが、ページめくり操作を行ったと判定し、ページめくり処理の実行を開始する。
【０１５８】
すなわち、ユーザー操作検出部１５は、ユーザーの指がスライドしたことを検出すると、タイマー制御部１６に動作開始指示情報を出力すると共に、表示画面２上の指の位置情報をアプリケーション制御部１４に出力する。
【０１５９】
そして、タイマー制御部１６は、ユーザー操作検出部１５から動作開始指示情報を取得すると、タイマー２７の動作を開始させる（ステップＳ１０４）。
【０１６０】
また、アプリケーション制御部１４は、ユーザー操作検出部１５から指の位置情報を取得すると、付加情報制御部１４ａは、記憶部２５ａの検索情報５０及びデータベースＤＢを参照し、階層情報と、当該階層情報に対応する属性情報とを取得する（ステップＳ１０５）。
【０１６１】
そして、アプリケーション制御部１４は、ユーザーの指の位置に合せて、裏面画像を表示部２１に表示させると共に、付加情報制御部１４ａは裏面画像の面積内に、記憶部２５ａから取得した属性情報を付加的な情報５として、表示部２１に表示させる（ステップＳ１０６）。
【０１６２】
次に、ユーザー操作検出部１５は、入力部２３から、表示画面２からユーザーの指が離れた旨の情報を取得することで、ユーザーの指が離れたことを検出する（ステップＳ１０７のＹＥＳ）。
【０１６３】
すると、ユーザー操作検出部１５は、ユーザーが、ページめくり操作を終了したと判定し、ページめくり処理の実行を終了させる。すなわち、ユーザー操作検出部１５は、ユーザーの指が離れたことを検出すると、タイマー制御部１６に動作終了指示情報を出力すると共に、ユーザーの指が離れた旨の情報をアプリケーション制御部１４に出力する。
【０１６４】
そして、タイマー制御部１６は、ユーザー操作検出部１５から動作終了指示情報を取得
すると、タイマー２７の動作をストップさせる（ステップＳ１０８）。
【０１６５】
そして、タイマー制御部１６は、タイマー２７の時間情報をアプリケーション制御部１４に出力する。
【０１６６】
アプリケーション制御部１４は、ユーザーの指が離れた旨の情報をユーザー操作検出部１５から取得すると、裏面画像の表示を停止させ、表示画面２に表示していたコンテンツ画像の次ページのコンテンツ画像を、表示画面２の全面に表示させる指示を表示部２１に出力する。これにより、表示部２１は、表示画面２の全面に、次ページのコンテンツ画像を表示する（ステップＳ１０９）。
【０１６７】
また、付加情報制御部１４ａは、アプリケーション制御部１４がタイマー２７の時間情報を取得すると、当該取得した時間情報が示す時間が、予め設定してある一定時間以上であるか否かを判定する（ステップＳ１１０）。
【０１６８】
付加情報制御部１４ａは、タイマー２７の時間情報が示す時間が、一定時間未満であると判定すると（ステップＳ１１０のＮＯ）、ステップＳ１０２へ戻る。
【０１６９】
一方、付加情報制御部１４ａは、タイマー２７の時間情報が示す時間が、一定時間以上であると判定すると（ステップＳ１１０のＹＥＳ）、付加的な情報５として表示した情報をユーザーが注視したと判定し、記憶部２５ａに格納されている検索情報５０の第１〜第３の属性情報格納部５１〜５３のうち、識別情報が格納されていない最も上層の階層の格納部に、属性情報を識別するための識別情報を格納することで、属性情報を決定する（ステップＳ１１１）。そして、ステップＳ１０２へ戻る。
【０１７０】
なお、ステップＳ１１０のＮＯの処理の後、付加情報制御部１４ａは、検索情報５０の第１〜第３の属性情報格納部５１〜５３のうち、先程の処理で属性情報の識別情報を読み取った格納部の上層側の格納部に格納されている識別情報を削除してから、ステップＳ１０２に戻るようにしてもよい。
【０１７１】
このように、情報表示装置１はページめくり処理を行うため、ユーザーは、通常の書籍を見るように、表示画面２に表示される各本文Ｐａｇｅ１、２・・・であるコンテンツ画像を見ることができる。
【０１７２】
そして、情報表示装置１はページめくり処理の際、本文Ｐａｇｅ１の裏面画像ＰＢ１を、本文Ｐａｇｅ１の一部に重畳するように表示画面２に表示させるアプリケーション制御部１４と、裏面画像ＰＢ１内に、付加的な情報５を表示させる付加情報制御部１４ａとを備えているため、表示画面２の表示領域を有効利用して、付加的な情報５を表示画面２に表示することができる。
【０１７３】
さらに、情報表示装置１によると、タイマー２７が計測した付加的な情報５の表示時間の長さが、予め定められた一定時間以上であると付加情報制御部１４ａが判定すると、付加情報制御部１４ａは記憶部２５ａを参照し、本文Ｐａｇｅ２のページめくり処理の際、本文Ｐａｇｅ２の裏面画像ＰＢ２に、裏面画像ＰＢ１内に表示した付加的な情報５（例えば情報Ａ）と関連する情報（例えば情報Ａ’）を、付加的な情報５として表示させるため、ユーザーが興味を示した情報を、効率よく、付加的な情報５として、表示画面２に表示することができる。このため、システムが必要以上に複雑化せず、かつ、文字入力が無くても、付加的な情報５として表示される情報の広告効果を高めることができる。
【０１７４】
（他の処理の流れ）
次に、図８、図９を用いて、各階層の属性情報を固定したり解除したりする処理の流れについて説明する。
【０１７５】
図９は、情報表示装置１の多パターンの処理の流れを説明する図である。
【０１７６】
《処理パターン１》
まず、図８及び図９の（ａ）を用いて、Ｌｅｖｅｌ１・２の属性情報が順に決定されるパターンの処理の流れについて説明する。
【０１７７】
図８、図９の（ａ）に示すように、情報表示装置１は表示画面２に本文Ｐａｇｅ１を表示させる（ステップＳ１０１）。
【０１７８】
そして、ユーザーが指を表示画面２にタッチ及びスライドさせ、ページめくり操作を行うと（ステップＳ１０２のＹＥＳ及びＳ１０３のＹＥＳ）と、タイマー制御部１６は、タイマー２７の動作を開始させる（ステップＳ１０４）。
【０１７９】
また、付加情報制御部１４ａは、記憶部２５ａの検索情報５０を参照し、第１の属性情報格納部５１〜第３の属性情報格納部５３の何れにも識別情報が格納されていない旨の情報を取得すると（ステップＳ１０５）、データベースＤＢのＬｅｖｅｌ１の情報Ａ・Ｂ・Ｃ・・・のうち、ランダムに何れか（一例として情報Ａ）を、付加的な情報５として、裏面画像ＰＢ１内に表示させる（ステップＳ１０６）。
【０１８０】
次に、ユーザーが、情報Ａを一定時間注視後、表示画面２から指を離すと、ユーザー操作検出部１５がユーザーの指が離れたことを検出し（ステップＳ１０７のＹＥＳ）、タイマー制御部１６は、タイマー２７の動作をストップさせる（ステップＳ１０８）。
【０１８１】
そして、アプリケーション制御部１４は、裏面画像ＰＢ１及び情報Ａの表示を消し、次ページの本文Ｐａｇｅ２を、表示画面２の全面に表示させる（ステップＳ１０９）。
【０１８２】
また、付加情報制御部１４ａは、タイマー２７の時間情報が示す時間が、一定時間以上であると判定し（ステップＳ１１０のＹＥＳ）、記憶部２５ａの検索情報５０の第１の属性情報格納部５１に情報Ａの識別情報を格納し、第１の属性情報を情報Ａに決定する（ステップＳ１１１）。
【０１８３】
次に、ユーザーが再びページめくり操作を行うと（ステップＳ１０２のＹＥＳ及びＳ１０３のＹＥＳ）と、タイマー制御部１６は、タイマー２７の動作を開始させる（ステップＳ１０４）。
【０１８４】
また、付加情報制御部１４ａは、記憶部２５ａの検索情報５０を参照し、第１の属性情報格納部５１に情報Ａの識別情報が格納されている旨の情報の取得（ステップＳ１０５）後、データベースＤＢの格納情報である、情報Ａ群のＬｅｖｅｌ２の情報Ａ’１・Ａ’２・Ａ’３・・・のうち、ランダムに何れか（一例として情報Ａ’１）を、付加的な情報５として、裏面画像ＰＢ２内に表示させる（ステップＳ１０６）。
【０１８５】
次に、ユーザーが、情報Ａ’１を一定時間注視後、表示画面２から指を離すと、ユーザー操作検出部１５がユーザーの指が離れたことを検出し（ステップＳ１０７のＹＥＳ）、タイマー制御部１６は、タイマー２７の動作をストップさせる（ステップＳ１０８）。
【０１８６】
そして、アプリケーション制御部１４は、裏面画像ＰＢ２及び情報Ａ’１の表示を消し、次ページの本文Ｐａｇｅ３を、表示画面２の全面に表示させる（ステップＳ１０９）。
【０１８７】
また、付加情報制御部１４ａは、タイマー２７の時間情報が示す時間が、一定時間以上であると判定し（ステップＳ１１０のＹＥＳ）、記憶部２５ａの検索情報５０の第２の属性情報格納部５２に情報Ａ’１の識別情報を格納し、第２の属性情報を情報Ａ’１に決定する（ステップＳ１１１）。そして、ステップＳ１０２へ戻る。
【０１８８】
《処理パターン２》
次に、図８及び図９の（ｂ）を用いて、Ｌｅｖｅｌ１・２の属性情報が決定されないパターンの処理の流れについて説明する。
【０１８９】
上記処理パターン１と同様に、ステップＳ１０１、ステップＳ１０２のＹＥＳ及びＳ１０３のＹＥＳ、ステップＳ１０４〜Ｓ１０６、ステップＳ１０７のＹＥＳ、ステップＳ１０８、ステップＳ１０９を経て、ステップＳ１１０で、付加情報制御部１４ａは、タイマー２７の時間情報が示す時間が、一定時間未満であると判定すると（ステップＳ１１０のＮＯ）、ステップＳ１０２に戻る。
【０１９０】
すなわち、ユーザーが再びページめくり操作を行うと（ステップＳ１０２のＹＥＳ及びＳ１０３のＹＥＳ）と、タイマー制御部１６は、タイマー２７の動作を開始させる（ステップＳ１０４）。
【０１９１】
また、付加情報制御部１４ａは、記憶部２５ａの検索情報５０を参照し、第１の属性情報格納部５１〜第３の属性情報格納部５３の何れにも識別情報が格納されていない旨の情報を取得（ステップＳ１０５）後、付加情報制御部１４ａは、データベースＤＢのＬｅｖｅｌ１の情報Ａ・Ｂ・Ｃ・・・のうち、ランダムに何れか（一例として情報Ｂ）を、付加的な情報５として、裏面画像ＰＢ２内に表示させる（ステップＳ１０６）。
【０１９２】
次に、ユーザーが、情報Ｂを一定時間注視せず、一定時間未満で表示画面２から指を離すと、ユーザー操作検出部１５がユーザーの指が離れたことを検出し（ステップＳ１０７のＹＥＳ）、タイマー制御部１６は、タイマー２７の動作をストップさせる（ステップＳ１０８）。
【０１９３】
そして、アプリケーション制御部１４は、裏面画像ＰＢ２及び情報Ｂの表示を消し、次ページの本文Ｐａｇｅ３を、表示画面２の全面に表示させる（ステップＳ１０９）。
【０１９４】
また、付加情報制御部１４ａは、タイマー２７の時間情報が示す時間が、一定時間未満であると判定し（ステップＳ１１０のＮＯ）、ステップＳ１０２に戻る。
【０１９５】
《処理パターン３》
次に、図８及び図９の（ｃ）、を用いて、Ｌｅｖｅｌの属性情報が決定された後、当該決定が解除されるパターンの処理の流れについて説明する。
【０１９６】
図８及び図９の（ｃ）に示すように、情報表示装置１は、上記処理パターン１と同様に、ステップＳ１０１、ステップＳ１０２のＹＥＳ及びＳ１０３のＹＥＳ、ステップＳ１０４〜Ｓ１０６、ステップＳ１０７のＹＥＳ、ステップＳ１０８、ステップＳ１０９、ステップＳ１１０のＹＥＳの処理を経て、付加情報制御部１４ａは、記憶部２５ａの検索情報５０の第１の属性情報格納部５１に情報Ａの識別情報を格納し、第１の属性情報を情報Ａに決定（ステップＳ１１１）した後、再び、ステップＳ１０２のＹＥＳ及びＳ１０３のＹＥＳ、ステップＳ１０４、ステップＳ１０５の処理を経ると、付加情報制御部１４ａは、データベースＤＢに格納されている情報のうち、情報Ａ群であり、Ｌｅｖｅｌ２の情報Ａ’１・Ａ’２・Ａ’３・・・のうち、ランダムに何れか（一例として情報Ａ’１）を、付
加的な情報５として、裏面画像ＰＢ２内に表示させる（ステップＳ１０６）。
【０１９７】
次に、ユーザーが、情報Ａ’１を一定時間注視せず、表示画面２にタッチさせた指を一定時間未満で表示画面２から離すと、ユーザー操作検出部１５がユーザーの指が離れたことを検出し（ステップＳ１０７のＹＥＳ）、タイマー制御部１６は、タイマー２７の動作をストップさせる（ステップＳ１０８）。
【０１９８】
そして、アプリケーション制御部１４は、裏面画像ＰＢ２及び情報Ａ’１の表示を消し、次ページの本文Ｐａｇｅ３を、表示画面２の全面に表示させる（ステップＳ１０９）。
【０１９９】
また、付加情報制御部１４ａは、タイマー２７の時間情報が示す時間が、一定時間未満であると判定し（ステップＳ１１０のＮＯ）、記憶部２５ａに格納されている検索情報５０の第１の属性情報格納部５１に格納されている情報Ａの識別情報を削除する。そして、ステップＳ１０２に戻る。
【０２００】
すなわち、ユーザーが再びページめくり操作を行うと（ステップＳ１０２のＹＥＳ及びＳ１０３のＹＥＳ）と、タイマー制御部１６は、タイマー２７の動作を開始させる（ステップＳ１０４）。
【０２０１】
また、付加情報制御部１４ａは、記憶部２５ａの検索情報５０を参照し、第１の属性情報格納部５１〜第３の属性情報格納部５３の何れにも識別情報が格納されていない旨の情報を取得すると（ステップＳ１０５）、付加情報制御部１４ａは、データベースＤＢのＬｅｖｅｌ１の情報Ａ・Ｂ・Ｃ・・・のうち、何れかをランダムに、付加的な情報５として、裏面画像ＰＢ３内に表示させる（ステップＳ１０６）。ここでは、付加情報制御部１４ａは、情報Ｂを付加的な情報５として表示画面２に表示させたものとする。
【０２０２】
次に、ユーザーが、情報Ｂを一定時間注視せず、表示画面２にタッチさせた指を一定時間未満で表示画面２から離すと、ユーザー操作検出部１５がユーザーの指が離れたことを検出し（ステップＳ１０７のＹＥＳ）、タイマー制御部１６は、タイマー２７の動作をストップさせる（ステップＳ１０８）。
【０２０３】
そして、アプリケーション制御部１４は、裏面画像ＰＢ３及び情報Ｂの表示を消し、次ページの本文Ｐａｇｅ４を、表示画面２の全面に表示させる（ステップＳ１０９）。
【０２０４】
また、付加情報制御部１４ａは、タイマー２７の時間情報が示す時間が、一定時間未満であると判定し（ステップＳ１１０のＮＯ）、ステップＳ１０２に戻る。
【０２０５】
このように、ユーザーの興味の変化に追従して、新たに、ユーザーが興味を示す情報を付加的な情報として表示させることができるため、付加的な情報の広告効果の低下抑制をすることができる。
【０２０６】
《処理パターン４》
次に、図８、及び図９の（ｄ）を用いて、Ｌｅｖｅｌの属性情報が２回目で決定された後、Ｌｅｖｅｌ２の属性情報も決定されるパターンの処理の流れについて説明する。
【０２０７】
上記処理パターン２と同様に、ステップＳ１０１、ステップＳ１０２のＹＥＳ及びＳ１０３のＹＥＳ、ステップＳ１０４〜Ｓ１０６、ステップＳ１０７のＹＥＳ、ステップＳ１０８、ステップＳ１０９、ステップＳ１１０のＮＯの処理を経て、再び、ステップＳ１０２のＹＥＳ及びＳ１０３のＹＥＳ、ステップＳ１０４、ステップＳ１０５の処理を経ると、付加情報制御部１４ａは、データベースＤＢのＬｅｖｅｌ１の情報Ａ・Ｂ・Ｃ・・・の
うち、何れかをランダムに、付加的な情報５として、裏面画像ＰＢ１内に表示させる（ステップＳ１０６）。ここでは、付加情報制御部１４ａは、情報Ｂを付加的な情報５として表示画面２に表示させたものとする。
【０２０８】
そして、ステップＳ１０７のＹＥＳ、ステップＳ１０８、ステップＳ１０９、ステップＳ１１０のＹＥＳの処理を経て、付加情報制御部１４ａは、記憶部２５ａの検索情報５０の第１の属性情報格納部５１に情報Ｂの識別情報を格納し、第１の属性情報を情報Ｂに決定する（ステップＳ１１１）。
【０２０９】
さらに、ステップＳ１０２のＹＥＳ及びＳ１０３のＹＥＳ、ステップＳ１０４の処理を経て、付加情報制御部１４ａは、記憶部２５ａの検索情報５０を参照し、第１の属性情報格納部５１に格納されている属性情報である情報Ｂを取得すると（ステップＳ１０５）、付加情報制御部１４ａは、データベースＤＢに格納されている情報のうち、情報Ｂ群であり、Ｌｅｖｅｌ２の情報Ｂ’１・Ｂ’２・Ｂ’３・・・のうち、ランダムに何れか（一例として情報Ｂ’１）を、付加的な情報５として、裏面画像ＰＢ３内に表示させる（ステップＳ１０６）。
【０２１０】
次に、ユーザーが、情報Ｂ’１を一定時間注視後、表示画面２から指を離すと、ユーザー操作検出部１５がユーザーの指が離れたことを検出し（ステップＳ１０７のＹＥＳ）、タイマー制御部１６は、タイマー２７の動作をストップさせる（ステップＳ１０８）。
【０２１１】
そして、アプリケーション制御部１４は、裏面画像ＰＢ３及び情報Ｂ’１の表示を消し、次ページの本文Ｐａｇｅ４を、表示画面２の全面に表示させる（ステップＳ１０９）。
【０２１２】
また、付加情報制御部１４ａは、タイマー２７の時間情報が示す時間が、一定時間以上であると判定し（ステップＳ１１０のＹＥＳ）、記憶部２５ａの検索情報５０の第２の属性情報格納部５２に情報Ｂ’１の識別情報を格納し、第２の属性情報を情報Ｂ’１に決定する（ステップＳ１１１）。そして、ステップＳ１０２へ戻る。
【０２１３】
（ユーザーの注視判定方法の他の例）
上述した説明では、付加情報制御部１４ａは、ステップＳ１１０で、タイマー２７の時間情報が示す時間が、一定時間以上であるか否かを判定することのみで、付加的な情報５として表示した情報をユーザーが注視したか否かを判定していた。しかし、ユーザーが注視したか否かの判定方法は、これに限定されるものではなく、例えば、以下のようなバリエーションを加えても良い。
（１）付加情報制御部１４ａは、同じ属性情報を連続して付加的な情報５として表示した表示回数が一定回数以上となってから、別の属性の属性情報を連続して表示するようにしてもよい。
【０２１４】
例えば、ステップＳ１０５で、属性情報をデータベースＤＢから取得する際、付加情報制御部１４ａは、付加的な情報５として、一定回数、同じ属性情報（例えば情報Ａ群）を連続表示し、その表示回数が一定回数以上となったか否かを判定する。
【０２１５】
そして、付加情報制御部１４ａは、連続表示回数が一定回数以上となったと判定した場合であって、当該連続表示を通してタイマー２７の時間情報が示す時間が、一定時間未満であった場合は、異なる属性情報（情報Ｂ群）をデータベースＤＢから取得し、ステップＳ１０６で付加的な情報５として表示画面２に表示するようにしてもよい。
【０２１６】
例えば、本文Ｐａｇｅ１〜本文Ｐａｇｅ１０のそれぞれの裏面画像に、付加情報制御部１４ａは、情報Ａ群として自動車に関する情報を、付加的な情報５として順に表示する。
しかし、いずれの注視時間も短くユーザーの注意を惹かなかった。すなわち、ステップＳ１１０のＮＯの処理が一定回数として１０回続いたとする。
【０２１７】
これにより、付加情報制御部１４ａは、１１回目のステップＳ１０５の処理の際、ユーザーは自動車に関する情報は興味が無いと判断し、データベースＤＢから、情報Ａ群では無く、情報Ｂ群として例えば、出版に関する情報を取得する。
【０２１８】
そして、付加情報制御部１４ａは、情報Ｂ群として出版に関する情報を、本文Ｐａｇｅ１１の裏面画像に付加的な情報５として表示する。
【０２１９】
このように、一定回数、同じ属性情報を表示し続けることにより、ユーザーが、一旦情報を見逃した場合でも、再確認することができるので、広告効果を高めることができる。（２）または、表示回数ではなく、付加情報制御部１４ａは、同じ属性情報を連続して付加的な情報５として表示した累積表示時間が一定値以上となってから、別の属性の属性情報を連続して表示するようにしてもよい。
【０２２０】
例えば、ステップＳ１１０で、アプリケーション制御部１４がタイマー２７の時間情報を取得すると、付加情報制御部１４ａは、当該取得した時間情報を、データベースＤＢに、現在付加的な情報５として表示している情報と対応付けて記憶する。予め、データベースＤＢに、現在付加的な情報５として表示している情報と対応付けて時間情報が記録されている場合は、その時間情報に加算して記憶する。
【０２２１】
そして、ステップＳ１０５で、属性情報をデータベースＤＢから取得する際、付加情報制御部１４ａは、付加的な情報５として、同じ属性情報（例えば情報Ａ群）を連続して表示した時間の累積値が一定値以上となったか否かを判定する。
【０２２２】
そして、付加情報制御部１４ａは、連続して表示した時間の累積値が一定値以上となったと判定した場合であって、タイマー２７の時間情報が示す時間が、連続して表示した同じ属性情報を通して全て一定時間未満であった場合は、異なる属性情報（情報Ｂ群）をデータベースＤＢから取得し、ステップＳ１０６で付加的な情報５として表示画面２に表示するようにしてもよい。
【０２２３】
例えば、本文Ｐａｇｅ１〜本文Ｐａｇｅ１０のそれぞれの裏面画像に、付加情報制御部１４ａは、情報Ａ群として自動車に関する情報を、付加的な情報５として順に表示する。そして、いずれの注視時間も短くユーザーの注意を惹かなかった。次に、１１回目のステップＳ１０５で、情報Ａ群をデータベースＤＢから取得する際、付加情報制御部１４ａは、付加的な情報５として、情報Ａ群を連続して表示した時間の累積値が一定値以上となったと判定する。
【０２２４】
これにより、付加情報制御部１４ａは、１１回目のステップＳ１０５の処理の際、個別の表示時間は短くても表示時間の累積値からユーザーが一定時間、情報Ａ群を注視したと判断し、データベースＤＢから、情報Ａ群では無く、情報Ｂ群として例えば、出版に関する情報を取得する。
【０２２５】
そして、付加情報制御部１４ａは、情報Ｂ群として出版に関する情報を、本文Ｐａｇｅ１１の裏面画像に付加的な情報５として表示する。
【０２２６】
このように、一定時間ユーザーが注視するまで同じ属性情報を付加的な情報５として表示し続けることにより、広告効果を高めることができる。
【０２２７】
また、上述したように、同じ属性情報の表示回数による判定方法と、表示時間の累積値による判定方法とを組み合わせることで、上記（１）（２）と同様の効果を期待することができる。
【０２２８】
（プログラムおよび記録媒体）
また、情報表示装置１の各ブロック、特に、制御部１０の各ブロックである、アプリケーション制御部１４、ユーザー操作検出部１５、及びタイマー制御部１６は、ハードウェアロジックによって構成してもよいし、次のようにコンピュータを用いてソフトウェアによって実現してもよい。
【０２２９】
すなわち、アプリケーション制御部１４、ユーザー操作検出部１５、及びタイマー制御部１６は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。
【０２３０】
そして、本発明の目的は、上述した機能を実現するソフトウェアであるアプリケーション制御部１４、ユーザー操作検出部１５、及びタイマー制御部１６の制御プログラムのプログラムコード（実行形式プログラム、中間コードプログラム、ソースプログラム）をコンピュータで読み取り可能に記録した記録媒体を、アプリケーション制御部１４、ユーザー操作検出部１５、及びタイマー制御部１６に供給し、そのコンピュータ（またはＣＰＵやＭＰＵ）が記録媒体に記録されているプログラムコードを読み出し実行することによっても、達成可能である。
【０２３１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２３２】
また、アプリケーション制御部１４、ユーザー操作検出部１５、及びタイマー制御部１６を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２３３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３４】
本発明は、各種情報表示装置等に利用することができる。
【符号の説明】
【０２３５】
１  情報表示装置
２  表示画面
１０  制御部
１４  アプリケーション制御部（裏面画像表示制御部）
１４ａ  付加情報制御部
１５  ユーザー操作検出部
１６  タイマー制御部
２１  表示部
２３  入力部
２５  記憶部
２５ａ  記憶部
２５ｂ  記憶部
２７  タイマー（時間計測部）
３０  ネットワーク
４０  情報サーバ
４１  被挿入情報蓄積部
ＤＢ  データベース
５０  検索情報
【図１】
0005797593.tif 000002
【図２】
0005797593.tif 000003
【図３】
0005797593.tif 000004
【図４】
0005797593.tif 000005
【図５】
0005797593.tif 000006
【図６】
0005797593.tif 000007
【図７】
0005797593.tif 000008
【図８】
0005797593.tif 000009
【図９】
0005797593.tif 000010